(57)【要約】シェルを備え、シェルは、同数のコーナーで定められる複数の側面、シェルのコーナーに対応する底面コーナーを有する実質的に閉じた底面、及びシェルのコーナーに対応する上面コーナーを有する上面を有する、段積み可能な展示梱包箱。上面は別々の上面コーナーにそれぞれ隣接する少なくとも２つの第１の開口を備え、底面は別々の底面コーナーにそれぞれ隣接する少なくとも２つの第２の開口を備える。展示梱包箱は、少なくとも２つのコーナーに隣接してシェル内に配置された少なくとも２枚の斜張パネルを有し、少なくとも２枚の斜張パネルの上部から突き出しているタブを含む、側面パネル部材も備える。少なくとも２つの第１の開口のそれぞれはシェル内に配置された斜張パネルの内の１つのタブを受け入れ、少なくとも２つの第２の開口のそれぞれは底面の下に位置して隣接する展示梱包箱の上面から突き出している側面パネル部材の斜張パネルのタブを受け入れるように適合される。
2004500290.tif 000002
【特許請求の範囲】
【請求項１】
段積み可能な展示梱包箱において：
シェルであって、該シェルは、同数のコーナーで定められる複数の側面、前記シェルの前記コーナーに対応する底面コーナーを有する実質的に閉じた底面、及び前記シェルの前記コーナーに対応する上面コーナーを有する上面を有し；前記上面は別々の上面コーナーにそれぞれ隣接する少なくとも２つの第１の開口を有し、前記底面は別々の底面コーナーにそれぞれ隣接する少なくとも２つの第２の開口を有するものであるシェル；及び
前記コーナーの内の少なくとも２つに隣接して前記シェルの内部に配置された少なくとも２枚の斜張パネルを有する側面パネル部材であって、該側面パネル部材は前記少なくとも２枚の斜張パネルの上部から突き出しているタブも備え；前記少なくとも２つの第１の開口のそれぞれは前記シェルの内部に配置された前記斜張パネルの内の１つの前記タブを受け入れ、前記少なくとも２つの第２の開口のそれぞれは前記底面の下に位置して隣接する展示梱包箱の上面から突き出している側面パネル部材の斜張パネルのタブを受け入れるように適合されるものである側面パネル部材；
を備えることを特徴とする段積み可能な展示梱包箱。
【請求項２】
前記シェルが長方形であり、前記上面が別々の上面コーナーにそれぞれ隣接する４つの第１の開口を備え、前記第１の開口のそれぞれが前記斜張パネルの前記タブを受け入れるように、それぞれが別々の底面コーナーに隣接し、前記第１の開口の内の１つ及び別の側面パネル部材の位置に対応する、４つの第２の開口を前記底面が有することを特徴とする請求項１記載の段積み可能な展示梱包箱。
【請求項３】
前記側面パネル部材が接続パネルにより互いに結合していることを特徴とする請求項２記載の段積み可能な展示梱包箱。
【請求項４】
前記シェルの一側面が実質的に開口していることを特徴とする請求項１記載の段積み可能な展示梱包箱。
【請求項５】
前記シェルの前記上面が実質的に開口していることを特徴とする請求項１記載の段積み可能な展示梱包箱。
【請求項６】
前記シェルの実質的に開口している側面を通して見ることができる、前記側面パネル部材と結合された展示パネルをさらに備えることを特徴とする請求項１記載の段積み可能な展示梱包箱。
【請求項７】
段積み可能な展示システムにおいて：
一箱一箱積み重ねられた複数の展示梱包箱；
を有してなり、それぞれの展示梱包箱が：
シェルであって、該シェルは、同数のコーナーで定められる複数の側面、前記シェルの前記コーナーに対応する底面コーナーを有する実質的に閉じた底面、及び前記シェルの前記コーナーに対応する上面コーナーを有する上面を有し；前記上面は別々の上面コーナーにそれぞれ隣接する少なくとも２つの第１の開口を有し、前記底面は別々の底面コーナーにそれぞれ隣接する少なくとも２つの第２の開口を有するものであるシェル；及び
前記コーナーの内の少なくとも２つに隣接して前記シェルの内部に配置された少なくとも２枚の斜張パネルを有する側面パネル部材であって、該側面パネル部材は前記少なくとも２枚の斜張パネルの上部から突き出しているタブも備え；前記少なくとも２つの第１の開口のそれぞれは前記シェルの内部に配置された前記斜張パネルの内の１つの前記タブを受け入れ、前記少なくとも２つの第２の開口のそれぞれは前記底面の下に位置して隣接する展示梱包箱の上面から突き出している側面パネル部材の斜張パネルのタブを受け入れるように適合されるものである側面パネル部材；
を含むことを特徴とする段積み可能な展示システム。
【請求項８】
前記シェルのそれぞれが長方形であり、前記上面のそれぞれが別々の上面コーナーにそれぞれ隣接する４つの第１の開口を備え、前記第１の開口のそれぞれが前記斜張パネルの前記タブを受け入れるように、それぞれが別々の底面コーナーに隣接し、前記第１の開口の内の１つ及び別の側面パネル部材の位置に対応する、４つの第２の開口を前記底面が有することを特徴とする請求項７記載の段積み可能な展示システム。
【請求項９】
前記シェルの実質的に開口している側面を通して見ることができる、前記側面パネル部材と結合された展示パネルをさらに備えることを特徴とする請求項７記載の段積み可能な展示システム。
【請求項１０】
それぞれの前記展示梱包箱のそれぞれの前記シェルが、長さが異なる２つの側面と結合された長さが等しい２つの側面を有することを特徴とする請求項７記載の段積み可能な展示システム。
【請求項１１】
折曲げ可能なプレフォームパネルにおいて、
シェルであって、該シェルは、同数のコーナーで定められる複数の側面、前記シェルの前記コーナーに対応する底面コーナーを有する実質的に閉じた底面、及び前記シェルの前記コーナーに対応する上面コーナーを有する上面を有し；前記上面が別々の上面コーナーにそれぞれ隣接する少なくとも２つの第１の開口を有し、前記底面が別々の底面コーナーにそれぞれ隣接する少なくとも２つの第２の開口を有するものであるシェル；
に、折り曲げて組み立てることができる形状を有することを特徴とする折曲げ可能なプレフォームパネル。
【請求項１２】
前記組み立てられたシェルの一側面が実質的に開口していることを特徴とする請求項１１記載の折曲げ可能なプレフォームパネル。
【請求項１３】
前記組み立てられたシェルの前記上面が実質的に開口していることを特徴とする請求項１１記載の折曲げ可能なプレフォームパネル。
【請求項１４】
折曲げ可能なプレフォームパネルにおいて、折り曲げて、展示梱包箱のシェルの内部に配置するための側面パネル部材にすることができる形状を有し、前記側面パネル部材が少なくとも２つのコーナーに隣接して前記シェルの内部に配置される少なくとも２枚の斜張パネルを有し、前記側面パネル部材が前記少なくとも２枚の斜張パネルの上部から突き出しているタブも備えることを特徴とする折曲げ可能なプレフォームパネル。
【請求項１５】
展示梱包箱のシェルの実質的に開口している側面を通して見ることができる、前記側面パネル部材と結合された展示パネルをさらに備えることを特徴とする請求項１４記載の折曲げ可能なプレフォームパネル。
【請求項１６】
段積み可能な展示梱包箱のためのシェルにおいて、同数のコーナーで定められる複数の側面、前記シェルの前記コーナーに対応する底面コーナーを有する実質的に閉じた底面、及び前記シェルの前記コーナーに対応する上面コーナーを有する上面を有し；前記上面が別々の上面コーナーにそれぞれ隣接する少なくとも２つの第１の開口を有し、前記底面が別々の底面コーナーにそれぞれ隣接する少なくとも２つの第２の開口を有することを特徴とするシェル。
【請求項１７】
展示梱包箱のシェルのための側面パネル部材において：
第１のパネル；
前記第１のパネルと結合された少なくとも２枚の斜張支持パネルであって、それぞれが、前記シェル内の対応する開口への差込のための、前記斜張支持パネルの上部から突き出しているタブを備える斜張支持パネル；及び
前記第１のパネルと結合された展示パネルであって前記シェルの側面にある開口内に見ることができ、前記展示梱包箱の内部に接するために取り除くことができる展示パネル；
を備えることを特徴とする側面パネル部材。
【請求項１８】
前記展示パネルが、前記シェルから外側に向けて折り曲げられ、前記側面に折り重ねられたときに、前記シェルの前記側面の底部にある対応する開口に受け入れられる固定用タブを備えることを特徴とする請求項１７記載の側面パネル部材。
【請求項１９】
前記展示パネルが、前記第１のパネルからの取り外しが可能であることを特徴とする請求項１７記載の側面パネル部材。
【発明の詳細な説明】
【０００１】
発明の背景
発明の分野
本発明は製品を展示するための展示梱包箱に関し、さらに詳しくは、縦積みされた同類の嵌合せ梱包箱用の広い段積みプラットフォームを提供するための新規な段積み可能展示梱包箱に関する。
【０００２】
関連する背景技術
展示ケースは、主として小売店における製品の販売増進を図るために用いられる。消費製品の製造業者が市場で競争力を維持し続けるためには、展示が、どの場所でも消費者に見えるように、店舗内の多様な場所での使用に対するデザイン融通性をもっていなければならない。したがって、展示梱包容器は以下の性質：（ｉ）単列縦積みまたは多列縦積みの容易性；（ｉｉ）最大の製品視認性；及び（ｉｉｉ）様々な販促環境／場所における長時間にわたる構造安定性を有していなければならない。
【０００３】
発明の概要
本発明は上記課題に取り組み、新案の段積み可能な展示システムを提示する。
【０００４】
本発明の一態様において、段積み可能な展示梱包箱はシェルを備え、シェルは、同数のコーナーで定められた複数の側面（すなわち、コーナーの数は側面の数に等しい）、シェルのコーナーに対応する底面コーナーを有する実質的に閉じた底面、及び前記シェルのコーナーに対応する上面コーナーを有する上面を有する。上面には、それぞれが別々の上面コーナーに隣接する、少なくとも２つの第１の開口があり、底面には、それぞれが別々の底面コーナーに隣接する、少なくとも２つの第２の開口がある。展示梱包箱は、シェル内に配置される少なくとも２枚の斜張パネルを有する側面パネル部材も備える。それぞれの斜張パネルはコーナーに隣接する。斜張パネルの内の少なくとも２枚は上面から突き出すタブを備える。第１の開口の内の少なくとも２つはそれぞれ、シェル内に配置された斜張パネルの内の１つのタブを受け入れ、第２の開口の内の少なくとも２つはそれぞれ、底面の下に位置して隣接する展示梱包箱の上面から突き出す側面パネル部材の斜張パネルのタブを受け入れるように適合される。
【０００５】
本発明の別の態様において、段積み可能な展示システムは、一箱一箱積み重ねられた、それぞれが先の態様に説明されたようなシェル及び側面パネル部材を有する、複数の展示梱包箱を含む。
【０００６】
本発明のまた別の態様において、展示梱包箱のシェルのための側面パネル部材は、第１のパネル及び第１のパネルに結合された少なくとも２枚の斜張支持パネルを含み、少なくとも２枚の斜張支持パネルのそれぞれは、シェル内の対応する開口への挿入のための斜張パネルの上部から突き出しているタブを備える。側面パネル部材は第１のパネルと結合された展示パネルも備え、展示パネルはシェルの側面にある開口から見え、展示パネルは展示梱包箱の内部に接するために取り外すことができる。
【０００７】
梱包箱の中身に接するために展示パネルが下方に折り曲げられて展示梱包箱のシェルの側面に重ねられた場合であっても消費者が製品情報を得られるように、展示パネルは印刷された情報を片面または両面に備えることができる。そのような情報は一般に、展示梱包箱内に収められた製品の、タイプ、数量、色、風味等に関する。
【０００８】
展示パネルは、折線に沿う孔あき部分を設けることにより、側面パネル部材から取り外すこともできる。
【０００９】
展示梱包箱のシェル及び側面パネル部材は、それぞれが先の態様に説明されたような形状に折り曲げられるプレカットパネルからつくることができる。
【００１０】
好ましい実施形態の詳細な説明
本発明の段積み可能な展示梱包箱のシェルは、少なくとも３つの側面を有していなければならないが、４つの側面を有し、長方形であることが好ましい。本明細書で用いられる長方形とは、どのシェルも実質的に直角をなして合する側面を有することを意味する。側面が３枚のシェルが三角形になることは明らかであろう。本発明のシェルがとり得る別の例示的形状には、五角形及び六角形がある。
【００１１】
シェルの上面は少なくとも２つの第１の開口すなわちスロットを有していなければならず、第１の開口のそれぞれは別々の上面コーナーに隣接する。上面が別々の上面コーナーのそれぞれに隣接する第１の開口を有することが最も好ましいであろう。すなわち三角形の展示梱包箱は第１の開口が３つある上面を有することが好ましいことになり、長方形の展示梱包箱は第１の開口が４つある上面を有することが好ましいことになるであろう。展示梱包箱の底面は少なくとも２つの第２の開口を有していなければならず、第２の開口のそれぞれは別々の底面コーナーに隣接する。底面も、別々の底面コーナーのそれぞれに隣接する第２の開口を有することが好ましいであろう。
【００１２】
展示梱包箱は、シェル内に配置された１つまたはそれより多くの側面パネル部材も備える。側面パネルは少なくとも２枚の斜張パネルを含むであろう。それぞれの斜張パネルは別々のコーナーに隣接して配置される。斜張パネルの内の少なくとも２枚の上部からは、タブが突き出している。それぞれのタブはシェルの上面にある別々の第１の開口に受け入れられる。長方形の展示梱包箱は、それぞれが２枚の斜張パネルを有する２枚の側面パネルを備えることが好ましく、それぞれの斜張パネルが別々の４つの第１の開口の内の１つに受け入れられるタブを有することが好ましい。
【００１３】
シェルの底面の第２の開口の内の少なくとも２つがそれぞれ、隣接する展示梱包箱の上面から突き出している側面パネル部材の斜張パネルのタブを受け入れるように適合されることに注意すべきである。このことは、底面の第２の開口を上面の第１の開口に対応する態様で、すなわち垂直方向で位置を合せて、配置することにより達成されることが好ましいが、これは必ずしも必要ではない。例えば、４つの等価な側面を有する長方形のシェル、すなわち正方形シェルは、互いに対角にある２つのコーナーに突き出したタブをもつ第１の開口を有し、正方形シェルの別のコーナにシェルの底面の第２の開口を有することができる。そのような展示梱包箱では、第２の開口のそれぞれが下側の箱の上面から突き出しているタブを受け入れるように展示梱包箱を積み重ねるためには、展示箱を単に９０°まわすだけであろう。シェルの底面の第２の開口の数は、対応する段積み可能な展示梱包箱の上面から突き出しているタブの数に等しいかまたはそれより多くなければならないことにも注意すべきである。第２の開口が段積み可能な展示梱包箱から突き出しているタブの数に等しいことが、最も好ましい。
【００１４】
図１〜９は、外部シェル４及びシェル内に配置される少なくとも１枚の内部側面パネル３８を組み立てることにより形成される、長方形の段積み可能な展示梱包箱１の好ましい実施形態を示す。パネル３８のそれぞれは、数個の展示梱包箱が一箱一箱積み重ねられるときの構造安定性を提供するに役立つ。
【００１５】
いずれの部材も、当業者によく知られたプロセスにしたがって抜型及び印刷版により作成された、段ボール板部材等から製造することができる。そのようなプロセスによれば、シート材が打ち抜かれて、折り曲げられ、貼り合されてシェル及び側面パネルを形成する、平パネルにされる。
【００１６】
シェル４は、それぞれの打抜きパネルを以下の態様で折り曲げることにより形成される。平らな面から始めると、第１のパネル６を折り目１４に沿って梱包箱の内部になる側に向けて折立てることができるように、第１のパネル６のパネル側面１０が折り目１２に沿ってパネル６の中心に向けて折り曲げる。
【００１７】
第１のパネル６を直立位置に保ちながら（前面及び背面側面パネル１０がシェルの内側に折り曲げられた状態を保ちながら）、第２のパネル２４を折り目２２に沿って内側に向けて折り曲げる。
【００１８】
パネルをそれぞれの最終位置に配置する前に、それぞれのパネルを第２のパネル２４の内側に接着できるように、側面パネル１０の外面に接着剤を塗布する。側面パネル１０を第２のパネル２４の外側に配置することも可能である。しかし、この別形配置では、外部に継目が生じ、これは好ましいことではない。
【００１９】
板紙またはこれに等価な材料どうしを接着するに十分な、様々な接着剤を用いることができる。しかし、シェルの折り曲げられた部分は応力の下にあり、折り曲げられた位置におかれて放されると開いてしまいがちであるから、速硬性接着剤が用いられることが好ましい。
【００２０】
そのような速硬性接着剤の例は、接着剤が溶融状態にあるときに塗布される、感熱接着剤である。２つの表面を接着し合せる場合、溶融接着剤が第１の表面に塗布され、次いで第２の表面が第１の表面に直接に接触する状態におかれる。表面の周囲温度が接触のほぼ直後に接着剤を冷やすから、２つの表面が合せられた後に短時間で溶融接着剤が迅速に固化する。接着剤が硬化するまでの間は、接着し合されるべきパネルが互いに押し付けられていることが望ましい。
【００２１】
当業者には理解されるであろうように、パネルはパネルに嵌合せ部を備えることによっても結合できる。例えば、第１の表面が、第２の表面を第１の表面に結合するための、第２の表面からの対応する嵌込部材を受け入れるための切抜きすなわちスロットを備えることができる。さらに、折重ねられたときに、枠の形にされたパネルを堅固に保つ、補助パネルを備えることができる。
【００２２】
組み立てられたシェルは、閉じられた底面及び、開放上面５、ある程度閉じられた上面または実質的に閉じられた上面とすることができる、上面を備える。開口８を製品を展示するために用いることができ、あるいは、上面がある程度または実質的に閉じられている場合には、上面から製品を見せるために引戻し及び／または切取りを行うことができる、容易に除去可能な部分を上面に備えることができる。図１及び２に示されるように、好ましい実施形態において、上面には、大きな中央開口５がパネル２８に隣接する開口部８とともに設けられる。
【００２３】
本発明の好ましい実施形態において、展示梱包箱の中身を埃及び粉塵から守るために、開放上面を有する中身入り梱包箱にかぶせられる、嵌め込みタイプの段ボール板カバーを別に備えることができる。そのようなカバーは、シェルの側面と結合された１つまたはそれより多くの側面を有することができる。例えば、展示梱包箱の背面と結合されたカバーの一辺、すなわちヒンジ式辺により、消費者はカバーのヒンジ式辺に対向する辺を持ち上げ、梱包箱の背面に沿って向こう側にカバーを折り曲げるか、あるいは、カバーのヒンジ式辺が取り外し可能なようにシェルに取り付けられている（切れ目が入れられている）場合には、カバーを切り取ることができる。あるいは、製品に接するためにカバーを単に持ち上げて外すことができるように、四側面型カバーを対応する四側面型梱包箱にかぶせて嵌め込むことができる。
【００２４】
シェルの大部分が形成され、接着剤が硬化した後、少なくとも１つ、好ましくは２つの側面パネル部材３８がシェル内部に配置される。図５に示されるように、それぞれの側面パネル部材は、当初は、両側に配置された斜張コーナーパネル５２を有する第１のパネル４０を含む折り曲げ可能な構造を有する平パネルである。それぞれのコーナーパネルの縁端は縁端パネル６２であり、コーナーパネルは隣接する第１のパネル４０及び縁端パネル６２とそれぞれ折り目５８及び６０で横につながっている。
【００２５】
それぞれのコーナーパネルには、上部タブ５４及び底部切欠き５６がある。タブ５４のそれぞれは、上面パネル２８が、好ましくは展示梱包箱に製品が詰められた後に、展示箱の側面の周りで下に折り曲げられたときに、パネル２８に配置された開口３６に受け入れられる。タブ５４のそれぞれは、それぞれの開口３６を通り抜け、展示梱包箱の上面より上に突き出して、既存の展示梱包箱の上に積み重ねられる別の梱包箱の底面開口２０に受け入れられる。それぞれの開口へのタブ５４の嵌め合わせにより、隣接する展示梱包箱間の相対的な横ずれが排除される。
【００２６】
側面パネル部材のコーナーパネル５２のそれぞれは、第１のパネル４０に対して約３０〜６０°の間の、より好ましくは約４５°の第１の角度をなすように、それぞれの折り目５８に沿って折り曲げられる。縁端パネル６２は、第１のパネル４０に対してほぼ９０°の角度をなすように、折り目６０に沿って折り曲げられる。縁端パネル６２とコーナーパネル５２との間の第２の角度はコーネーパネル５２と第１のパネル４０との間に存在する角度にしたがって変わり、第１の角度に対して相補的−第１の角度を第２の角度に加えるとほぼ９０°になる−である。
【００２７】
斜張コーナーパネル５２は、個別のパネルまたは（本明細書に示され、説明されるような）一対のパネルとすることができ、あるいは折り曲げられて全部で４枚の斜張パネルを形成する１枚の単周ボードとすることさえできる。さらに、当業者には、パネルをそれぞれのコーナーを囲んでシェルの外側に配置することができるように形成できることも理解されよう。
【００２８】
好ましい実施形態において、側面パネル部材は、図に示されるように実質的に中央に形成される、折り目４４ａを含む、補助パネル４４で形成することもできる。パネル４４は折り目５０に沿ってパネル４０にヒンジ止めされ、シェル４の第１のパネル６の底部に配置された対応するスロット１６に受け入れられるタブ４６を備えることができる。
【００２９】
側面パネル部材３８が装着されると、パネル４４は展示梱包箱の中身を保護するために閉じた位置に保たれる。消費者が中身に接したいときには、パネル４４が折り目５０に沿って折り曲げられ、タブ４６がスロット１６に差し込まれる。折り目４４ａは、パネル４４がシェルの側面に折り重ねられたときにパネルの底部を形成するために与えられる。あるいはパネル４４は、折り目４４ａが必要ではないように、高さをより低くすることができる。パネル４４は、通常はシェル４の第１のパネル６に側面パネルのパネル４４が隣接するとすれば、タブ４６がスロット１６に受け入れられるように、スロット１６に位置及び寸法が対応する開口４１を備えることがでる。
【００３０】
一体パネル４４は、展示梱包箱に収められている製品に関する追加情報を表示するため、または展示梱包箱に美的外観を付加する装飾デザインを施すための、販促ディスプレイパネルとして用いることもできる。この特徴により、どのような製品も包装するための、その上には製品情報がほとんどまたは全く印刷されていない、汎用シェルとして本発明を使用することも可能となる。次に、展示包装箱の中身に関する印刷された情報を、一体パネル４４上に含めることができる。すなわち、誰でも、パネル４４上の印刷物に目を通すことによって、シェル内に収められている製品が何であるかを知らせることができるようになるであろう。
【００３１】
すなわち、シェル内に入る指定された製品のそれぞれのための複数種類の側面パネルインサートを備える、１つのシェルをつくることができる。したがって、複数種類の印刷されたシェルを排除することができ、この結果、印刷及び保管にかかる費用を節約できる。
【００３２】
販促パネルのそのような使用は、配景展示梱包箱の１つまたは全ての側面で行うことができる。さらに、パネルが折り畳まれてシェルの第１のパネル６の底に重ねられたときにも製品情報を見ることができるように、製品情報を両面に印刷することができる。
【００３３】
シェル４内で側面パネル部材３８の位置を確実に定めるために接着剤を使用することはできるが、パネルをシェル内の所定の位置に保つために必ずしも接着剤を用いる必要がないことは理解されよう。側面パネル部材の位置を確実に定める別のまたは追加の形態は、側面パネル部材を、側面パネル部材がシェル内に摩擦嵌めされるような寸法につくることである。詳しくは、側面パネル部材を、折り重ねられた上面パネル２０の内面とシェル４の底面パネル１８との間隔より若干大きくなるような寸法につくることができる。開口３６内へのタブ５４の嵌め込みも、側面パネル部材を所定の位置に保つに役立つ。しかし、展示保管箱のシェル内にパネルを確実に保つための補助手段として、接着材が用いられることが好ましい。
【００３４】
側面パネル部材が展示梱包箱内のそれぞれの位置に配された後、展示梱包箱に製品が詰められる。その後、上面パネル２８が折り目２６に沿って折り重ねられる。次いで上側面パネル３２が折り目３４に沿って折り重ねられ、第１のパネル６の側面に速硬接着剤で貼り付けられる。
【００３５】
上側面パネル３２を第１のパネルに貼り付けるために用いられた接着剤が硬化すると、展示梱包箱が完成する。中身が詰められた展示梱包箱は、次いで、小売販売店への積送のために縦積みされ、多列縦積みでパレットに載せられる。
【００３６】
多くのタイプの製品を一緒に梱包することができる。例えば、キャンディを梱包する場合、消費者がどの展示キャンディであっても容易に得ることができるように、様々な風味をそれぞれ展示することができる。
【００３７】
シェル及び展示梱包箱の組立は、当業者には周知の箱製造装置を用いて完全に自動化することもできる。そのような装置は、自動的に、接着剤を全て一度に塗布し、シェルを形成し、側面パネル部材を差し込み、製品を展示梱包箱に詰め、最後のパネル２８及び３２を折り曲げて貼り付けることにより梱包を完了する。
【００３８】
展示梱包箱の梱包及び最終組立後、個々の展示梱包箱は、単列縦積みする（図７）か、または多列縦積みでパレットに載せる（図８）ことができる。それぞれの縦積み列のそれぞれの展示梱包箱は、積送のため、スリップオンカバーすなわち一体型カバーで覆うこともできる。スリップオンカバーに加えて、またはスリップオンカバーの代わりに、製品が展示梱包箱上面の開口５または第１のパネル６及びパネル４０にある開口により露出している場合は特に、展示梱包箱を積送のために伸縮または収縮包装フィルムで覆うことができる。一列分の展示梱包箱を伸縮包装フィルムで覆うことは、パレットに載っている展示梱包箱を積送の間安定化するにも役立つ。
【００３９】
図９は本発明の別の実施形態を示し、パレットに載せることができる、段積みされ、配列された配置を示す。図示されているように、四辺形の展示梱包箱６４には、対向し長さの異なる２つの辺６８及び７０に結合された、対向し長さが等しい２つの辺６６がある。この様な展示梱包箱は、同じ形につくられた他の展示梱包箱と隣接して配置して、円形配列７２を形成することができる。そのような配置は、そのまま展示できるように、パレットに載せて小売業者に向けて積送することができる。梱包箱のシェルの側面の取合せを変えることにより、他にも多くの同様の配置をとることができる。
【００４０】
本出願明細書を慎重に検討すれば、当業者には本発明のその他の変形及び改変が明らかであろう。本発明は特許請求の範囲で述べられる請求範囲以外には限定されない。
【図面の簡単な説明】
【図１】本発明にしたがう組立済展示梱包箱の斜視図である
【図２】本発明にしたがう段積み可能な展示梱包箱用のシェルの簡略な斜視図である
【図３】本発明にしたがう段積み可能な展示梱包箱用の側面パネル部材の簡略な斜視図である
【図４】本発明にしたがう段積み可能な展示梱包箱のシェルの打抜き平パネルの簡略な上面図である
【図５】本発明にしたがう段積み可能な展示梱包箱の側面パネル部材の、展示パネルを含む、打抜き平パネルの簡略な上面図である
【図６】本発明にしたがう段積み可能な展示梱包箱の側面パネル部材の、展示パネルのない、打抜き平パネルの簡略な上面図である
【図７】本発明にしたがう展示梱包箱の単列縦積みの斜視図である
【図８】本発明にしたがう展示梱包箱の多列縦積みパレットの斜視図である
【図９】本発明にしたがう展示梱包箱の円形配列された配置の簡略な上面図である
【符号の説明】
１　　展示梱包箱
４　　シェル
６，２４　　側面
１８　　底面
２０　　底面開口
３６　　上面開口
３８　　側面パネル部材
５２　　斜張パネル
５４　　タブ
【国際公開パンフレット】
2004500290.tif 000003
2004500290.tif 000004
2004500290.tif 000005
2004500290.tif 000006
2004500290.tif 000007
2004500290.tif 000008
2004500290.tif 000009
2004500290.tif 000010
2004500290.tif 000011
2004500290.tif 000012
2004500290.tif 000013
2004500290.tif 000014
2004500290.tif 000015
2004500290.tif 000016
2004500290.tif 000017
2004500290.tif 000018
2004500290.tif 000019
2004500290.tif 000020
2004500290.tif 000021
2004500290.tif 000022
2004500290.tif 000023
2004500290.tif 000024
2004500290.tif 000025
2004500290.tif 000026
2004500290.tif 000027
2004500290.tif 000028
2004500290.tif 000029
2004500290.tif 000030
2004500290.tif 000031
【国際公開パンフレット（コレクトバージョン）】
2004500290.tif 000032
2004500290.tif 000033
【国際調査報告】
2004500290.tif 000034
2004500290.tif 000035
2004500290.tif 000036
2004500290.tif 000037
2004500290.tif 000038